(57)【要約】【課題】開封後に簡易に新たな泡の発生を可能にすることができ、開封直後に飲料の泡が飲料缶から溢れ出る不都合を抑制する。【解決手段】アルミ製の缶本体１の底部の空間７にバネ性を有する泡立て操作部２を設け、缶本体１の上部に飲み口用の凹部３を形成し、凹部３の底面９にタブ１２を有する開口蓋４を設けてあり、泡立て操作部２は缶本体内のビールに泡発生のための押圧力を付与可能であり、凹部３は泡が缶本体外へ溢れ出ることを一時的に防止するための泡溜めができる空間を備えており、開口蓋４は凹部３の内壁３ａに沿ってかつこれに近接して形成されている開口用スコア１０に囲まれており、開口蓋４を引っ張って缶本体１から外した状態で泡立て操作部２を操作して泡を発生させるものである。【選択図】　　　図１
2004075087.tif 000002
【特許請求の範囲】
【請求項１】
缶本体と、缶本体の底部及び胴部の少なくともいずれか一方に設けてある泡立て操作部と、上記缶本体の上部に形成してある飲み口用の凹部と、この凹部の底面に設けてありかつタブを有する開口蓋とを具備しており、
上記泡立て操作部は、缶本体内の発泡飲料に泡発生のための押圧力を付与可能であり、
上記凹部は、泡が缶本体外へ溢れ出ることを一時的に防止するための泡溜めができる空間を備えており、
上記開口蓋は、上記凹部の内壁に沿って形成されている開口用スコアに囲まれている
ことを特徴とするビールなどの発泡飲料缶。
【請求項２】
泡立て操作部は、缶本体の底部の底面に設けてあることを特徴とする請求項１記載のビールなどの発泡飲料缶。
【請求項３】
泡立て操作部は、バネ性を有すると共に、押圧力によって缶本体の内側に弾性変形可能であることを特徴とする請求項１又は請求項２記載のビールなどの発泡飲料缶。
【請求項４】
泡立て操作部は、バネ性を有すると共に、缶本体の底部に形成してある台部の空間に上記缶本体底面外側に突出状態に形成されており、押圧力によって缶本体の内側に弾性変形可能であることを特徴とする請求項１又は請求項２記載のビールなどの発泡飲料缶。
【請求項５】
開口蓋は、凹部の内壁に沿ってかつこの内壁に近接して形成されている開口用スコアに囲まれていることを特徴とする請求項１、請求項２、請求項３又は請求項４記載のビールなどの発泡飲料缶。
【請求項６】
発泡飲料はビールであることを特徴とする請求項１、請求項２、請求項３、請求項４又は請求項５記載のビールなどの発泡飲料缶。
【発明の詳細な説明】
【０００１】
【発明の属する技術分野】
この発明は、泡立ち機能を備えているビールなどの発泡飲料缶に関する。
【０００２】
【従来の技術】
従来から、例えばビール缶はプルトップ式の円筒形金属缶で構成されている。飲む際には、プルタブを押し込むか又は引っ張って舌状の開口片を缶蓋である天板内へ押し込むか又は天板から切り離して、開口部ができた段階でビール缶の上縁を口に当てながらビール缶を斜めにして飲んでいる。
【０００３】
【発明が解決しようとする課題】
ビール缶の開口部が開けられると、この開口部から空気が入り込むことにより泡が発生するためにビールの味を損なう問題があるものの、一方でこの泡立ちが蓋となって味に影響を与える温度上昇や気泡の放出の抑制効果があり、飲む者には清涼感などの良いイメージを与える効能があることも事実である。
従来例によると、開封後には新たに効果的な泡を発生することは困難であり、また開封直後にビールの泡がビール缶から溢れ出る不都合があった。
この発明の目的は、開封後に簡易に新たな泡の発生を可能にすることができ、開封直後に飲料の泡が飲料缶から溢れ出る不都合を抑制することにある。
【０００４】
【課題を解決するための手段】
この発明の第１の特徴は、缶本体と、缶本体の底部及び胴部のいずれか一方又は双方に設けてある泡立て操作部と、上記缶本体の上部に形成してある飲み口用の凹部と、この凹部の底面に設けてありかつタブを有する開口蓋とを具備しているものである。上記泡立て操作部は、缶本体内のビールなどの発泡飲料に泡発生のための押圧力を付与可能である。上記凹部は、泡が缶本体外へ溢れ出ることを一時的に防止するための泡溜めができる空間を備えている。上記開口蓋は、上記凹部の内壁に沿って形成されている開口用スコアに囲まれている。
この発明の第２の特徴は、上記第１の特徴を備えていると共に、缶本体の底部の底面に設けてあることにある。
この発明の第３の特徴は、上記第１又は第２の特徴を備えており、泡立て操作部がバネ性を有し、かつ押圧力によって缶本体の内側に弾性変形可能であることにある。
この発明の第４の特徴は、上記第１又は第２の特徴を備えており、泡立て操作部がバネ性を有すると共に、缶本体の底部に形成してある台部の空間に上記缶本体底面外側に突出状態に形成されており、押圧力によって缶本体の内側に弾性変形可能であることにある。
この発明の第５の特徴は、上記第１、第２、第３又は第４の特徴を備えており、開口蓋が凹部の内壁に沿ってかつこの内壁に近接して形成されている開口用スコアに囲まれていることにある。
【０００５】
【作用】
開口蓋が開けられている状態で、泡立て操作部の操作により、缶本体内の発泡飲料に押圧力が付与されて、泡が発生し、凹部内に溜まる。
【０００６】
【発明の実施の形態】
この発明における実施の形態について図面を参照して説明する。
図１〜図５に示す発泡飲料缶であるビール缶は、缶本体１と、この缶本体の底部に設けてある泡立て操作部２と、缶本体の上部に形成してある飲み口用の凹部３と、この凹部の底部の底面に設けてある開口蓋４とを具備しているものである。
缶本体１は金属、例えばアルミの素材からなり、底部に台部５を設けて底面６と間に空間７を設けている。
泡立て操作部２は缶本体底面６から空間７に突出状態に形成されかつバネ性を有しており、その押圧力によって缶本体の内側へ弾性変形可能である。泡立て操作部２は通常は図１実線に示すように底面６の外側に凸状に膨出された状態が維持されており、図１上方向に押し込まれることにより、一時的に内側に凸状に弾性変形されてから元の状態に復元される。泡立て操作部２は、その膨出形状が外側から内側へ弾性変形し、その後元の状態に復元される動作に伴って缶本体１内のビール８（図６）に押圧力を付与する。
飲み口用の凹部３は、その内部空間は泡溜めできる容積を有しており、泡が缶本体外へ溢れ出ることを一時的に防止する機能を備えている。
開口蓋４は凹部３の底部底面９に設けられており、内壁３ａに沿って形成されている開口用スコア１０に囲まれている円形状のものである。図示の例では、開口用スコア１０が凹部３の内壁３ａに近接しているために、開口蓋４は底面９のほぼ全面を占めている。開口蓋４の上面にはリベット１１を介してタブ１２を接続してある。タブ１２を上方に引っ張ることにより、開口蓋４は凹部３の底面９から開口用スコア１０に沿って外れて抜け穴が開口部１ａ（図６）として形成される。
【０００７】
次に使用方法を説明する。
図１に示す缶本体１において、タブ１２を上方に引っ張ることにより、開口蓋４は凹部３の底面９から外れ、この結果この底面に図６に示すように抜け穴としての開口部１ａができる。すると、缶本体１内には開口部１ａから空気が入り、泡８ａが発生し、この開口部を通じて凹部３に溜まる。その後、缶本体１を斜めし、飲み口用の凹部３を飲み口に利用して缶本体内のビール８を飲む。
缶本体１を開封後は泡立つことはないが、泡立ちを希望する場合には泡立て操作部２を２〜３回程度押圧すると、そのバネ性による弾性変形と復元力により、図６に示す矢印方向に上下動し、この上下動に伴って缶本体１のビールの下部側を上下動させるために、泡８ａが発生して泡が再び開口部１ａを通じて凹部３に溜まる。
この結果、飲む者に新たなビールが缶本体１に注がれた新鮮な印象を与える。
【０００８】
缶本体１の材質はアルミなどの金属に限られず、プラスチックや紙であっても良い。発泡飲料８はビールに限定されない。泡立て操作部２において、缶本体１の材質によってはバネ性を確保できない場合には操作つまみを設けて、この操作つまみを操作してビール８に圧力を付与して泡立て機能を発揮させても良い。もちろん、材質に限られず、泡立て操作部２に操作つまみを設けても良い。そして泡立て操作部の数は二つ以上であっても良く、一つに限定されず、また缶本体の胴部に設けても良い。また缶本体１の大きさに応じて、凹部３内に予め飲料用つまみや景品を入れる等多目的収納部として利用することも可能である。
【０００９】
【発明の効果】
この発明によれば、泡立て操作部を設けているので、開封後の任意の時に簡易に泡の発生を可能にして、飲む者に良いイメージを与えることができ、そして飲み口用の凹部を設けているので、開封時に泡が不意に缶本体から溢れ出ることを抑制できる。
【図面の簡単な説明】
【図１】この発明の実施の形態における縦断面図であって、発泡飲料であるビールを省略している図である。
【図２】図１の底面図である。
【図３】図１の平面図である。
【図４】図１のＩＶ−ＩＶ線端面図である。
【図５】図１のＶ−Ｖ線断面図である。
【図６】泡立て時における缶本体の縦断面図である。
【符号の説明】
１　　　缶本体
２　　　泡立て操作部
３　　　飲み口用の凹部
３ａ　　凹部の内壁
４　　　開口蓋
５　　　台部
６　　　底面
７　　　空間
８　　　ビール（発泡飲料）
８ａ　　泡
９　　　底面
１０　　開口用スコア
１２　　タブ
【図１】
2004075087.tif 000003
【図２】
2004075087.tif 000004
【図３】
2004075087.tif 000005
【図４】
2004075087.tif 000006
【図５】
2004075087.tif 000007
【図６】
2004075087.tif 000008